(57)【要約】      （修正有）【課題】スイング可能なボールの上下方向への移動と左右方向への移動とを有効に阻止できるミキサーを提供する。【解決手段】ミキサー本体１側に撹拌用のボール３を一対の支持アーム２Ａ・２Ｂを介して支持し、該ボール３をスイング可能に軸支して、ボール３に対する撹拌物の投入又は取り出しの際には、ボール３をミキサー本体１から手前にスイングさせながら引き出し、撹拌物の撹拌の際には、ボール３をミキサー本体１の使用位置までスイングさせながら押し戻す構造のミキサーであって、上記一方の支持アーム２Ａ側にスイング中心となるシャフト７を設けて、該シャフト７にボール３の一側に設けられたフランジ１４を着脱可能に軸支し、他方の支持アーム２Ｂ側にロックレバー１１を設けて、該ロックレバー１１をボール３の他側に設けられたフランジ１８に係脱可能に係合することを特徴とする。【選択図】図８
0003144812.tif 000002
【実用新案登録請求の範囲】
【請求項１】
ミキサー本体側に撹拌用のボールを一対の支持アームを介して支持し、該ボールをスイング可能に軸支して、ボールに対する撹拌物の投入又は取り出しの際には、ボールをミキサー本体から手前にスイングさせながら引き出し、撹拌物の撹拌の際には、ボールをミキサー本体の使用位置までスイングさせながら押し戻す構造のミキサーであって、上記一方の支持アーム側にスイング中心となるシャフトを設けて、該シャフトにボールの一側に設けられたフランジを着脱可能に軸支し、他方の支持アーム側にロックレバーを設けて、該ロックレバーをボールの他側に設けられたフランジに係脱可能に係合することを特徴とするミキサー。
【請求項２】
ボールの一側に設けられるフランジは、上下２枚のフランジからなり、上側フランジには、シャフトを嵌合する正円形状の軸孔を形成し、下側フランジには、シャフトの側面から係合する切欠形状の軸孔を形成し、且つ、一方の支持アームに上記上側フランジの上面に当接してその上方向への移動を阻止するストッパープレートを設けたことを特徴とする請求項１記載のミキサー。
【請求項３】
他方の支持アーム側に設けられるロックレバーは、コ字状の基体を備え、その上側片に先端部が常時下方に弾性付勢されるロック軸を設け、同下側片を他方の支持アームの下部側に回動可能に軸支して、ロックレバーを起立させると、該ロックレバーのロック軸が対応するフランジのロック孔に嵌入し、ロックレバーを倒伏させると、ロック軸の先端部がフランジのロック孔から外れ、且つ、他方の支持アームに上記フランジの上面に当接してその上方向への移動を阻止するストッパープレートを設けたことを特徴とする請求項１乃至請求項２のいずれかに記載のミキサー。
【考案の詳細な説明】
【技術分野】
【０００１】
本考案は、例えば、パン生地のように大きな塊となる所謂ドウ生地を撹拌する業務用のミキサーに関するものである。
【背景技術】
【０００２】
従来のこの種ミキサーにあっては、パン生地などの撹拌物を入れるボールをミキサー本体に昇降可能に設けられた支持アームに固定する関係で（例えば、特許文献１を参照）、パン生地などの撹拌物を撹拌する時には、まず、ボールを上記支持アームを介して下降させた状態を得て、ボールを支持アームからその固定状態を解いて取り外し、該ボール内に撹拌物を投入してから、再度、ボールを支持アームに固定して、今度は、ボールを支持アームを介して上昇させて、撹拌子で撹拌する訳であるから、ボール内に撹拌物を投入する作業が自ずと大変となる嫌いがあった。
【０００３】
又、撹拌後に、ボールから撹拌物を取り出す時には、再度、ボールを支持アームを介して下降させた状態を得て、最初に、撹拌子を回転軸から取り外して、そのまま、ボールの支持アームに対する固定状態を解き、ボールを一旦支持アームから取り外して、ボール内から撹拌物を取り出していたので、このボール内から撹拌物を取り出す作業も自ずと大変となっていた。特に、パン生地のように大きな塊となる所謂ドウ生地と称されるものを対象とするような場合には、その取り出し作業がかなり大変となる。
【０００４】
そこで、斯かる実情に鑑み、ボールを予めミキサー本体の支持アーム側には固定せずに、ボールをミキサー本体の支持アームにスイング可能に支持して、撹拌物の投入又は取り取り出しの際には、当該支持箇所を中心に、ボールをミキサー本体から手前にスイングさせながら引き出し、撹拌の際には、再び、ミキサー本体の使用位置まで押し戻すように構成することが考えられる。
【特許文献１】特開２００５−２４５３７５号公報
【考案の開示】
【考案が解決しようとする課題】
【０００５】
しかし、このスイング方式の下で、単に、ボールを支持アームに支持しただけでは、撹拌中に、ボールが不用意に上下方向に移動したり、左右方向に移動する恐れが十分に考えられる。そして、一旦、ボールがいずれかの方向に移動すると、ボール自体が不用意にガタツクことは勿論であるが、ボールと撹拌子とが誤って衝突して、ボール自体が変形したり、撹拌子自体が破損してしまう心配がある。
【課題を解決するための手段】
【０００６】
本考案は、斯かる実情に鑑み開発されたもので、請求項１記載の考案は、ミキサー本体側に撹拌用のボールを一対の支持アームを介して支持し、該ボールをスイング可能に軸支して、ボールに対する撹拌物の投入又は取り出しの際には、ボールをミキサー本体から手前にスイングさせながら引き出し、撹拌物の撹拌の際には、ボールをミキサー本体の使用位置までスイングさせながら押し戻す構造のミキサーであって、上記一方の支持アーム側にスイング中心となるシャフトを設けて、該シャフトにボールの一側に設けられたフランジを着脱可能に軸支し、他方の支持アーム側にロックレバーを設けて、該ロックレバーをボールの他側に設けられたフランジに係脱可能に係合することを特徴とする。
【０００７】
請求項２記載の考案は、請求項１を前提として、ボールの一側に設けられるフランジは、上下２枚のフランジからなり、上側フランジには、シャフトを嵌合する正円形状の軸孔を形成し、下側フランジには、シャフトの側面から係合する切欠形状の軸孔を形成し、且つ、一方の支持アームに上記上側フランジの上面に当接してその上方向への移動を阻止するストッパープレートを設けたことを特徴とする。
【０００８】
請求項３記載の考案は、請求項１乃至請求項２を前提として、他方の支持アーム側に設けられるロックレバーは、コ字状の基体を備え、その上側片に先端部が常時下方に弾性付勢されるロック軸を設け、同下側片を他方の支持アームの下部側に回動可能に軸支して、ロックレバーを起立させると、該ロックレバーのロック軸が対応するフランジのロック孔に嵌入し、ロックレバーを倒伏させると、ロック軸の先端部がフランジのロック孔から外れ、且つ、他方の支持アームに上記フランジの上面に当接してその上方向への移動を阻止するストッパープレートを設けたことを特徴とする。
【考案の効果】
【０００９】
依って、請求項１記載の考案にあっては、ボールに対する撹拌物の投入又は取り出しに際しては、従来と同様に、一対の支持アームを下降させて、後は、単に、ボールを手前にスイングさせながら引き出すだけで済むので、従来と比較すると、投入作業及び取り出し作業が容易となると共に、後は、ボールをミキサー本体側の使用位置までスイングさせながら押し戻して、一対の支持アームを上昇させれば、即座に、撹拌子による撹拌物の撹拌が可能となる。
【００１０】
又、一方の支持アーム側では、スイング中心となるシャフトにボールの対応するフランジが軸支されるので、これにより、撹拌中におけるボールの左右方向への移動が確実に阻止され、他方の支持アーム側では、ロックレバーがボールの対応するフランジに上方から係合するので、これにより、撹拌中におけるボールの上下方向への移動が確実に阻止される。尚、このロックレバーのフランジに対する係合を解くと、ボールをシャフトを中心として手前に簡単に引き出せることとなる。
【００１１】
請求項２記載の考案にあっては、ボールの一側に設けられるフランジが上下２枚のフランジからなる関係で、シャフトに対する軸支状態が２点支持により安定するので、ボール自体のスイングが円滑に行なうことが可能となる。又、上側フランジの上面に当接するストッパープレートを設けたので、これによっても、ボール自体の上方向への移動を一層確実に阻止することが可能となる。
【００１２】
請求項３記載の考案にあっては、ロックレバーを起立させれば、ロックレバーのロック軸が対応するフランジのロック孔に嵌入し、ロックレバーを倒伏させれば、ロック軸のロック孔に対する嵌入を解除できるので、ロックレバーのワンタッチ操作が可能となると共に、フランジの上面に当接するストッパープレートを設けたので、他方側においても、同様に、ボール自体の上方向への移動を一層確実に阻止することが可能となる。
【考案を実施するための最良の形態】
【００１３】
本考案は、ミキサー本体側に撹拌用のボールを一対の支持アームを介して支持し、該ボールをスイング可能に軸支して、ボールに対する撹拌物の投入又は取り出しの際には、ボールをミキサー本体から手前にスイングさせながら引き出し、撹拌物の撹拌の際には、ボールをミキサー本体の使用位置までスイングさせながら押し戻す構造のミキサーを前提として、上記一方の支持アーム側にスイング中心となるシャフトを設けて、該シャフトにボールの一側に設けられたフランジを着脱可能に軸支し、他方の支持アーム側にロックレバーを設けて、該ロックレバーをボールの他側に設けられたフランジに係脱可能に係合することにより、スイング可能なボールの上下方向への移動と左右方向への移動とを有効に阻止せんとするものである。
【実施例】
【００１４】
以下、本考案を図示する好適な実施例に基づいて詳述すれば、該実施例に係るミキサーは、図１に示す如く、ミキサー本体１に略Ｖ字状に拡開する一対の支持アーム２Ａ・２Ｂを昇降可能に設けて、該一対の支持アーム２Ａ・２Ｂの間に撹拌用のボール３をスイング可能に支持することを特徴とするものである。
【００１５】
これを具体的に説明すると、上記一対の支持アーム２Ａ・２Ｂ中、一方の支持アーム２Ａに対しては、図示する如く、その先端面に上側片と下側片の夫々に大小の装着孔５・６を穿設したコ字形状のブラケット４を固定して、当該ブラケット４にスイング中心となるスイングシャフト７を各装着孔５・６を介して縦型に装着すると共に、ブラケット４の付根部に後述するボール３の一方側に存する上側フランジ１４の上面に当接するストッパープレート８を固定する構成を採用している。
【００１６】
又、他方の支持アーム２Ｂに対しては、その先端上面側に後述するボール３の他方側に存するフランジ１８を受け止める水平な受け止め面９を形成すると共に、先端下部側に軸受部１０を設けて、該軸受部１０にロックレバー１１を回動可能に軸支する構成となっている。尚、このロックレバー１１は、図示する如く、コ字形状を呈する基体を備え、上側片に先端部が常時下方に弾性付勢されるロック軸１２を設け、下側片を上記軸受部１０に回動可能に軸支して、ロックレバー１１自体を起立させると、ロックレバー１１のロック軸１２が後述するボール３の他方側に存するフランジ１８のロック孔１９に嵌入し、ロックレバー１１を倒伏すると、ロック軸１２の先端部が当該フランジ１８のロック孔１９から外れる構成となっている。又、他方の支持アーム２Ｂに対しても、上記受け止め面９の付根部にボール３の他方側に存するフランジ１８の上面に当接するストッパープレート１３を固定する構成を採用している。
【００１７】
次に、これら支持アーム２Ａ・２Ｂにスイング可能に軸支されるボール３について説明すると、該ボール３の一方の支持アーム２Ａ側と対向する側面に対しては、図２に示す如く、上下２枚のフランジ１４・１５を一定の間隔をおいて一体に横設して、上側フランジ１４には、スイングシャフト７の上部側を嵌合する正円形状の軸孔１６を形成し、下側フランジ１５には、スイングシャフト７の下部側面から係合する切欠形状の軸孔１７を形成して、これら各軸孔１６・１７を上記したブラケット４に装着されているスイングシャフト７に嵌合及び係合させることにより、ボール３が支持アーム２Ａ側にスイング可能に軸支される構成となっている。
【００１８】
尚、斯かる状態にあっては、当該軸支により、一方側で、ボール３は左右方向へ移動することが阻止されることは言うまでもないが、図４に示す如く、上側フランジ１４は、ブラケット４の上側片とストッパープレート８とで挾持され、下側フランジ１５は、ブラケット４の下側片上に載置されているので、これにより、一方側では、ボール３の上下方向への移動も確実に阻止されることとなる。
【００１９】
又、ボール３の他方の支持アーム２Ｂ側と対向する側面に対しては、図３に示す如く、上記した受け止め面９上に受け止められる１枚のフランジ１８を一体に横設して、該フランジ１８にロックレバー１１のロック軸１２の先端部を嵌入するロック孔１９を形成する構成となっている。
【００２０】
従って、ボール３のスイングを得て、当該１枚のフランジ１８を他方の支持アーム２Ｂの受け止め面９に受け止めて、ロックレバー１１を起立させれば、そのロック軸１２の先端部が弾性付勢力でロック孔１９に嵌入するので、これにより、ボール３は、ミキサー本体１側の使用位置に確実にロックされることとなるので、撹拌に何らの支障を来たす心配がない。又、斯かる状態にあっては、上記した一方側の軸支と相俟って、当該他方側の嵌入により、他方側でも、ボール３の左右方向への移動が阻止されることは言うまでもないが、図５に示す如く、１枚のフランジ１８が受け止め面９とストッパープレート１３とで挾持されることとなるので、上記した一方側の挾持状態と相俟って、やはり、他方側でも、上下方向への移動が確実に阻止されることとなる。
【００２１】
依って、斯かる構造のミキサーの下で、ボール３をミキサー本体１側に組み付ける場合には、ボール３全体を把持して、上記したブラケット４に装着されているスイングシャフト７に上側フランジ１４の装着孔１６と下側フランジ１５の装着孔１７を嵌合及び係合すれば、これにより、ボール３自体が一方の支持アーム２Ａ側にスイング可能に軸支されることとなるので、後は、ボール３のスイングを得て、他方のフランジ１８を受け止め面９上に載置し、ロックレバー１１を起立させて、そのロック軸１２の先端部をフランジ１８のロック孔１９に嵌入すれば、図６・図７に示す如く、ボール３が各支持アーム２Ａ・２Ｂの間に通常の状態をもって支持されることとなる。
【００２２】
そして、実際の使用に際して、まず、ボール３内に撹拌物を投入する場合には、従来と同様に、一対の支持アーム２Ａ・２Ｂを下降させた状態を得て、ロックレバー１１によるロックを解除して、図８の実線で示す如く、ボール３を手前に引き出せば、撹拌子２０に邪魔されることなく、そのまま、パン生地などの撹拌物を投入することができるので、従来と比べると、投入作業が容易となる。
【００２３】
そこで、今度は、ボール３をスイングシャフト７を中心としてミキサー本体１の使用位置まで押し戻し、ロックレバー１１をロックして、支持アーム２Ａ・２Ｂを所定の位置まで上昇させれば、撹拌子２０による撹拌物の撹拌が通常の通り可能となるので、撹拌後は、再度、支持アーム２Ａ・２Ｂを下降させた状態を得て、ロックレバー１１によるロックを解除して、ボール３を手前に引き出せば、ボール３から撹拌物を簡単に取り出すことが可能となる。尚、この場合にあっては、特に、パン生地のように大きな塊となる所謂ドウ生地のとっては、生地の取り出しが頗る容易となる。
【００２４】
又、撹拌物の投入や取り出しの際に、撹拌子２０が邪魔となるような場合には、従来と同様に、撹拌子２０を回転軸２１から取り外すことも可能であるが、本実施例の場合には、図８に示す如く、撹拌子２０をボール３のスイングの許容できる位置までスイッチ操作又は手動操作で移動させれば、撹拌子２０も取り外すことなく、ボール３のスイングが保障できるので、この点からも、従来と比較すると、作業性が更に良好となる。
【産業上の利用可能性】
【００２５】
本考案に係るミキサーは、ボールをスイング可能に軸支して、ボールの上下方向への移動と左右方向への移動とを確実に阻止できるので、これをパン生地のように大きな塊となる所謂ドウ生地を撹拌する業務用のミキサーとして応用すれば、頗る良好となる。
【図面の簡単な説明】
【００２６】
【図１】ミキサー本体側の構造を一部分解して示す要部斜視図である。
【図２】ボールを一方側から示す斜視図である。
【図３】ボールを他方側から示す斜視図である。
【図４】ボールの組み付け状態を一方側から示す要部側面図である。
【図５】ボールの組み付け状態を他方側から示す要部側面図である。
【図６】ボールの組み付け状態を一部断面して示す要部正面図である。
【図７】ロックレバーによるロック状態を説明する拡大説明図である。
【図８】ボールが手前にスイングしながら引き出された状態を示す要部平面図である。
【符号の説明】
【００２７】
１    ミキサー本体
２Ａ  一方の支持アーム
２Ｂ  他方の支持アーム
３    ボール
４    ブラケット
５    装着孔
６    装着孔
７    スイングシャフト（シャフト）
８    ストッパープレート
９    受け止め面
１０  軸受部
１１  ロックレバー
１２  ロック軸
１３  ストッパープレート
１４  上側フランジ
１５  下側フランジ
１６  正円形状の軸孔
１７  切欠形状の軸孔
１８  他方のフランジ
１９  ロック孔
２０  撹拌子
２１  回転軸
【図１】
0003144812.tif 000003
【図２】
0003144812.tif 000004
【図３】
0003144812.tif 000005
【図４】
0003144812.tif 000006
【図５】
0003144812.tif 000007
【図６】
0003144812.tif 000008
【図７】
0003144812.tif 000009
【図８】
0003144812.tif 000010